(57)【要約】【課題】入賞口の前方に配置される化粧板の面積を、視認に耐える程度に大きな絵柄等を表示するに足る程度に大きくしたとしても、化粧板と遊技盤面との間を通過する遊技球の視認性を喪失させることがない前飾り板の構造、遊技盤、及びパチンコ遊技機を提供する。【解決手段】遊技盤３前面に突設した支柱２１を介して遊技盤前面との間に遊技球Ｂが通過可能な間隔を隔てて離間配置された前飾り板２０であって、前飾り板は、絵柄、或いは文字を表示した大面積の表示領域２２と、該表示領域の外周に沿って張出し形成された透明領域２５と、から構成され、前飾り板と遊技盤前面との間を通過する遊技球の少なくとも一部を透明領域を介して前方から視認可能に構成されている。【選択図】図３
2009195338.tif 000002
【特許請求の範囲】
【請求項１】
遊技盤前面に突設した支柱を介して遊技盤前面との間に遊技球が通過可能な間隔を隔てて離間配置された前飾り板であって、
前記前飾り板は、表示領域と、該表示領域の外側に張出し形成された透明領域と、から構成され、前記前飾り板と前記遊技盤前面との間を通過する遊技球の少なくとも一部を前記透明領域を介して前方から視認可能に構成されていることを特徴とする前飾り板の構造。
【請求項２】
前記前飾り板は、遊技盤面に形成した入賞口の前方に配置されることを特徴とする請求項１に記載の前飾り板の構造。
【請求項３】
前記前飾り板は、可変入賞装置の前面を覆うように配置されることを特徴とする請求項１に記載の前飾り板の構造。
【請求項４】
前記前飾り板は、一枚の透明基材と、該透明基材の少なくとも前面に被覆形成された非透明なメッキ膜と、該メッキ膜の中央部に形成された前記表示領域と、該表示領域の外径側のメッキ膜を除去することによって形成された前記透明領域と、から構成されていることを特徴とする請求項１乃至３の何れか一項に記載の前飾り板の構造。
【請求項５】
請求項１乃至４の何れか一項に記載の前飾り板の構造を備えたことを特徴とする遊技盤。
【請求項６】
請求項５に記載の遊技盤を備えたことを特徴とするパチンコ遊技機。
【発明の詳細な説明】
【技術分野】
【０００１】
本発明は、遊技盤面上に装飾を目的として配置される前飾り板の改良に関し、特に前飾り板と遊技盤面との間に形成される遊技球の通過スペース内を通過する遊技球を前方から視認することを可能ならしめた前飾り板の構造、遊技盤、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた入賞口に遊技球が入賞すると、遊技者が所定数の出球を獲得できるようになっている。このような遊技機では、入賞口を覆うようにその前方に化粧板を配置している（特許文献１）。
図５は従来の入賞口及び化粧板の構成例を示した斜視図であり、遊技盤面１００に形成された入賞口１０１の周縁部から前方へ突設されたＵ字状の支柱１０２の前面に円形の化粧板１０３が固定されている。
従来の化粧板１０３では、化粧板前面に遊技に関わるキャラクタ等の絵柄を十分な大きさで表示し得るように化粧板を大面積化しようとした場合、化粧板１０３の周縁部を支柱１０２から外側に庇状に突出させる必要があった。しかし、この場合には当該庇部と遊技盤面１００との間のスペース内を遊技球Ｂが通過する際に、遊技球を前方から視認できなくなる虞がある。従来このような虞を回避するために庇部が形成されないように可能な限り化粧板１０３を小さく構成していた。
【０００３】
具体的には、従来の化粧板１０３の直径寸法Ｄは、遊技球の直径（１１ｍｍ）を僅かに越える値、例えば、１５ｍｍに設定されている。つまり、化粧板の外周縁に庇状の突出部が形成されている場合であっても、この庇部の背面側を遊技球が通過する際にその一部が化粧板の外周縁から露出するように、化粧板はその面積が狭く寸法設定されている。このため、この狭い面積内に遊技内容に係る絵柄、写真、文字等を十分に視認可能なサイズで表示することは困難であった。
一方、前方から明確に視認できる程度に大きな絵柄等を配置し得るように化粧板の面積を大きく構成した場合、例えば直径３０ｍｍ程度に設定した場合には、化粧板外周の庇状の突出部と遊技盤面との間の通過スペースを通過する遊技球が隠蔽されて遊技者により視認不能となる虞がある。
要するに従来の化粧板は、その前面に十分なサイズで絵柄等を表示できる程度に大面積化すると、化粧板の外周縁部の背面側を通過する遊技球が隠蔽されてしまう、という問題があった。
【特許文献１】特開２００６−３２０４８７公報
【発明の開示】
【発明が解決しようとする課題】
【０００４】
本発明は上記に鑑みてなされたものであり、入賞口の前方に配置される化粧板の面積を、視認に耐える程度に大きな絵柄等を表示するに足る程度に大きくしたとしても、化粧板と遊技盤面との間を通過する遊技球の視認性を喪失させることがない前飾り板の構造、遊技盤、及びパチンコ遊技機を提供することを目的としている。
【課題を解決するための手段】
【０００５】
上記の目的を達成するため、請求項１の発明に係る前飾り板の構造は、遊技盤前面に突設した支柱を介して遊技盤前面との間に遊技球が通過可能な間隔を隔てて離間配置された前飾り板であって、前記前飾り板は、表示領域と、該表示領域の外側に張出し形成された透明領域と、から構成され、前記前飾り板と前記遊技盤前面との間を通過する遊技球の少なくとも一部を前記透明領域を介して前方から視認可能に構成されていることを特徴とする。
絵柄、或いは文字を表示するための十分な面積を有した表示領域を備えていながら、その外周に沿って透明領域を張出し形成することにより、前飾り板と遊技盤前面との間を通過する遊技球の少なくとも一部が透明領域を介して前方から視認可能となり、遊技中に遊技球が遊技者の視界から隠蔽されることがなくなる。従って、前飾り板に視認可能な程度に十分な大きさを有した絵柄等を表示して遊技進行中における興趣を高めることができる。
請求項２の発明に係る前飾り板の構造は、請求項１において、前記前飾り板は、遊技盤面に形成した入賞口の前方に配置されることを特徴とする。
請求項３の発明に係る前飾り板の構造は、請求項１において、前記前飾り板は、可変入賞装置の前面を覆うように配置されることを特徴とする。
請求項４の発明に係る前飾り板の構造は、請求項１乃至３の何れか一項において、前記前飾り板は、一枚の透明基材と、該透明基材の少なくとも前面に被覆形成された非透明なメッキ膜と、該メッキ膜の中央部に形成された前記表示領域と、該表示領域の外径側のメッキ膜を除去することによって形成された前記透明領域と、から構成されていることを特徴とする。
請求項５の発明に係る遊技盤は、請求項１乃至４の何れか一項に記載の前飾り板の構造を備えたことを特徴とする。
請求項６の発明に係るパチンコ遊技機は、請求項５に記載の遊技盤を備えたことを特徴とする。
【発明の効果】
【０００６】
本発明では、絵柄、或いは文字を表示するための十分な面積を有した表示領域を中央部に配置すると共に、その外周に沿って透明領域を張出し形成した。このため、前飾り板と遊技盤前面との間を通過する遊技球の少なくとも一部が透明領域を介して前方から視認可能となり、遊技中に遊技球が遊技者の視界から隠蔽されることがなくなる。
【発明を実施するための最良の形態】
【０００７】
以下、本発明を図面に示した実施の形態により詳細に説明する。
図１は、本発明の実施の形態に係るパチンコ遊技機の全体正面図である。
パチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
【０００８】
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。普通入賞口１６は遊技盤面に形成されており、その前方には前飾り板２０が配置されている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【０００９】
図２は本発明を構成する前飾り板を備えた盤面部品の一例の拡大図であり、図３（ａ）は本発明の一実施形態に係る前飾り板の構成を示す正面図、（ｂ）は斜視図であり、（ｃ）及び（ｄ）はその側面図、及び平面図である。
前飾り板２０は、遊技盤３に設けた普通入賞口１６の下側周縁に沿って突設したＵ字状の支柱２１を介して遊技盤前面との間に遊技球Ｂが通過可能な間隔を隔てて離間配置されている。前飾り板２０は、絵柄、或いは文字を表示した大面積の表示領域２２と、表示領域２２の外周に沿って張出し形成された透明領域２５と、から構成されている。前飾り板２０の外周縁は、支柱２１よりも外側に庇状に張出した張出し部２０ａとなっている。透明領域２５は、前飾り板の張出し部２０ａと遊技盤前面との間を通過する遊技球の少なくとも一部を前方から視認可能とするために設けられている。
【００１０】
図４は前飾り板の要部断面図であり、前飾り板２０は、一枚の透明基材３０と、透明基材３０の少なくとも前面（本例では前後両面）に被覆形成された非透明なメッキ膜３１と、メッキ膜３１の中央部に形成された表示領域２２と、表示領域２２の外径側のメッキ膜を除去することによって形成された透明領域２５と、から構成されている。
この例では、前飾り板２０の最大直径ｄ１は３５ｍｍであり、表示領域２２の直径ｄ２は３０ｍｍであり、透明領域の幅Ｗは２．５ｍｍである。
この前飾り板２０の製造方法としては、例えば透明樹脂等からなる透明基材３０の両面全体にメッキ膜３１を形成してから透明領域２５に相当する外周縁に沿った領域だけをレーザ光によるトリミングによって部分的にメッキ膜を除去する方法を挙げることができる。
本発明の前飾り板２０は、支柱２１よりも外側に張出された張出し部２０ａに透明領域２５を設けたので、透明領域２５と遊技盤面との間の遊技球通過スペースＳ内に進入した遊技球Ｂを常に前方から視認することが可能となり、遊技中に遊技球が遊技者の視界から隠蔽されることがなくなる。
上記実施形態では、支柱２１と前飾り板２０とを別部材である場合を例として説明したが、両部材が一体化された一部品であってもよい。
なお、上記実施形態では普通入賞口１６の前方に配置する前飾り板について本発明を適用した例を示したが、これは一例に過ぎず、本発明は可変入賞装置（所謂、電動チューリップ）の前方に配置される前飾り板、その他、遊技盤上に配置される前飾り板一般に適用することができる。
【図面の簡単な説明】
【００１１】
【図１】本発明の実施の形態に係るパチンコ遊技機の全体正面図である。
【図２】本発明を構成する前飾り板を備えた盤面部品の一例の拡大図である。
【図３】（ａ）は本発明の一実施形態に係る前飾り板の構成を示す正面図、（ｂ）は斜視図であり、（ｃ）及び（ｄ）はその側面図、及び平面図である。
【図４】前飾り板の要部断面図である。
【図５】従来の入賞口及び化粧板の構成例を示した斜視図である。
【符号の説明】
【００１２】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…前飾り板、２０ａ…張出し部、２１…支柱、２２…表示領域、２５…透明領域、３０…透明基材、３１…メッキ膜
【図１】
2009195338.tif 000003
【図２】
2009195338.tif 000004
【図３】
2009195338.tif 000005
【図４】
2009195338.tif 000006
【図５】
2009195338.tif 000007